(57)【要約】【課題】  本発明は光源が立体的で、複数個に見せることができる構造が簡単で、容易に設置することができる遊戯機械の装飾用照明、自販機のスイッチの照明、電化製品や携帯電話機のパイロットランプ等に使用することができる照明装置        を得るにある。【解決手段】  照明部分が開口された光源収納ケースと、この光源収納ケース内に収納された少なくとも１個以上の光源と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートとで照明装置を構成している。【選択図】  図２
2007157622.tif 000002
【特許請求の範囲】
【請求項１】
照明部分が開口された光源収納ケースと、この光源収納ケース内に収納された少なくとも１個以上の光源と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートとを備えることを特徴とする照明装置。
【請求項２】
照明部分が開口された光源収納ケースと、この光源収納ケース内に収納された少なくとも１個の光源と、この少なくとも１個以上の光源を前記光源収納ケースの開口方向に移動させることができる光源移動装置と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートとを備えることを特徴とする照明装置。
【請求項３】
照明部分が開口された光源収納ケースと、この光源収納ケース内に収納された少なくとも１個以上の光源と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートと、このマイクロプリズムシートを回転あるいはスライド移動させるマイクロプリズムシートの移動装置とを備えることを特徴とする照明装置。  
【発明の詳細な説明】
【技術分野】
【０００１】
本発明は遊戯機械の装飾用照明、イルミネーション、自販機のスイッチの照明、電化製品や携帯電話機のパイロットランプ等に使用することができる照明装置に関する。
【背景技術】
【０００２】
従来の遊戯機械の装飾用照明は多数個のＬＥＤを選択的に点滅点灯できるように構成されている。
【０００３】
このため、多数個のＬＥＤが必要となり、コスト高になるという欠点があった。また、点灯したＬＥＤがそのまま見えるだけで、面白味に欠けるという欠点があった。
【特許文献１】特になし
【発明の開示】
【発明が解決しようとする課題】
【０００４】
本発明は以上のような従来の欠点に鑑み、光源が立体的で、複数個に見せることができる構造が簡単で、容易に設置することができる遊戯機械の装飾用照明、自販機のスイッチの照明、電化製品や携帯電話機のパイロットランプ等に使用することができる照明装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は照明部分が開口された光源収納ケースと、この光源収納ケース内に収納された少なくとも１個以上の光源と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートとで照明装置を構成している。
【発明の効果】
【０００７】
以上の説明から明らかなように、本発明にあっては次に列挙する効果が得られる。
【０００８】
（１）照明部分が開口された光源収納ケースと、この光源収納ケース内に収納された少なくとも１個以上の光源と、前記光源収納ケースの開口部を覆うように取付けられた光透過性のシート本体、このシート本体の前記光源側とは反対側の面に形成された１個の光源が複数個の光源に見せることができるプリズム効果が得られる多数個のほぼ多角錐形状の多面体とからなるマイクロプリズムシートとで構成されているので、光源を点灯させることによりマイクロプリズムシートのシート本体、多面体を光源の光が透過することにより、１個の光源を複数個の光源に見せることができる。
したがって、光源の数を減らしても多数個の光源があるように見せることができるとともに、複数個の光源を模様のようにでき、美観の向上を図ることができる。
【０００９】
（２）前記（１）によって、マイクロプリズムシートを用いるだけでよいので、構造が簡単で、容易に実施することができる。
【００１０】
（３）前記（１）によって、マイクロプリズムシートを透過する光源の光は立体的に拡散させることができる。
したがって、光源の像はにじむことなく、きれいな複数個の立体像となり、美観の向上を図ることができる。
【００１１】
（４）前記（１）によって、マイクロプリズムシートは薄いので、自販機のスイッチ、電化製品のパイロットランプ、携帯電話機の照明やパイロットランプに容易に組み込むことができる。
【００１２】
（５）請求項２も前記（１）〜（４）と同様な効果が得られるとともに、光源移動装置で光源を移動させることにより、複数個の光源が移動した状態に見せることができる。
【００１３】
（６）請求項３も前記（１）〜（４）と同様な効果が得られるとともに、マイクロプリズムシートの移動装置によってマイクロプリズムシートを移動させることにより、複数個に見える光源が動いた状態に見せることができる。
【発明を実施するための最良の形態】
【００１４】
以下、図面に示す本発明を実施するための最良の形態により、本発明を詳細に説明する。
【００１５】
図１ないし図７に示す本発明を実施するための最良の第１の形態において、１は本発明の照明装置で、この照明装置１は照明部分が開口２された光源収納ケース３と、この光源収納ケース３内に収納された少なくとも１個以上、本発明を実施する形態では多数個のＬＥＤ、電球等の光源４と、この多数個の光源４を図３に示すように文字や流れ点滅、点滅等の状態で点灯させる商用電源に接続される制御回路５と、前記光源収納ケース３の開口部２を覆うように取付けられたマイクロプリズムシート６とで構成されている。
【００１６】
前記マイクロプリズムシート６は図４および図５に示すように、光透過性のシート本体７と、このシート本体７の前記光源側とは反対側の面に形成された１個の光源４が複数個の光源に見せることができるプリズム効果が得られる多数個のほぼ多角錐形状、本発明を実施する形態では一辺が１０ミクロン〜２００ミクロンの三角錐形状の多面体８とで構成されている。
【００１７】
上記のように構成された照明装置１は光源４を点灯すると、該光源４の光はマイクロプリズムシート６のシート本体７を透過し、多数個の多面体８で同じ屈折率で屈折して光が進むため、図６に示すように２つの三角錐によって、図７に示すように６個の光源の像９に見える。
このような照明装置１はパチンコ機やスロットマシンの遊戯面の外周部に配置する照明装置に使用されたり、電飾装置として使用される。
なお、このような使用時には光源収納ケースはパチンコ機やスロットマシンのケースが光源収納ケースとして兼用される場合もある。
[発明を実施するための異なる形態]
【００１８】
次に、図８ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、光源４とマイクロプリズムシート６との間の距離を任意に変化させることができる距離移動装置１０を用いた点で、このような距離移動装置１０を用いて構成した照明装置１Ａにしても、前記本発明を実施するための最良の第１の形態と同様な作用効果が得られるとともに、マイクロプリズムシート６に現われる複数個の光源の像９がマイクロプリズムシート６と光源４との間の距離によって大きくなったり、小さくなったりすることができる。
なお、前記距離移動装置１０は光源収納ケース３内に開口部２方向へ複数本のガイドピン１１を介してスライド移動可能に取付けられた光源支持板１２と、この光源支持板１２をスライド移動させる正・逆回転モータ１３、この正・逆回転モータ１３の駆動軸１４に取付けられたねじ軸１５、このねじ軸１５と螺合する前記光源支持板１２に取付けられたナット１６とからなる移動機構１７とで構成されている。
【００２０】
図１１ないし図１３に示す本発明を実施するための第３の形態において、前記本発明を実施するための第２の形態と主に異なる点は、マイクロプリズムシート６をフレーム１８に取付けるとともに、該フレーム１８を光源収納ケース３に光源４との距離が任意に変化できるようにスライド移動可能に取付け、フレーム１８に距離移動機構１０を取付けた点で、このように構成した照明装置１Ｂにしても、前記本発明を実施するための第２の形態と同様な作用効果が得られる。
【００２１】
図１４ないし図１６に示す本発明を実施するための第４の形態において、前記本発明を実施するための第３の形態と主に異なる点は、光源収納ケース３Ａとマイクロプリズムシート６Ａを取付けるフレーム１８Ａを円形状に形成し、フレーム１８Ａをモータ１９を用いた回転装置２０で回転できるようにした点で、このように構成した照明装置１Ｃにしても、前記本発明を実施するための第３の形態と同様な作用効果が得られるとともに、マイクロプリズムシート６Ａに複数の光源の像９を移動させることができる。
【００２２】
図１７ないし図１９に示す本発明を実施するための第５の形態において、前記本発明を実施するための最良の第１の形態と主に異なる点は、自販機２１の光源４を内蔵したボタンスイッチ２２の光源収納ケース２３の前面の透孔２４部分にマイクロプリズムシート６を取付けた点で、このように構成した照明装置１Ｄは透孔２４部分のマイクロプリズムシート６に複数個の光源の像９を映すことができ、大きな照明が可能となる。
なお、本発明を実施する形態は電化製品のパイロットランプ、携帯電話機の照明やパイロットランプにも同様に使用することができる。
【００２３】
図２０ないし図２２に示す本発明を実施するための第６の形態において、前記本発明を実施するための最良の第１の形態と主に異なる点は、四角錐形状の多面体８Ａを形成したマイクロプリズムシート６Ｂを用いた点で、このようなマイクロプリズムシート６Ｂを用いて構成した照明装置１Ｅにしても、前記本発明を実施するための最良の第１の形態と同様な作用効果が得られる。
【００２４】
図２３ないし図２５に示す本発明を実施するための第７の形態において、前記本発明を実施するための最良の第１の形態と主に異なる点は、六角錐形状の多面体８Ｂを形成したマイクロプリズムシート６Ｃを用いた点で、このようなマイクロプリズムシート６Ｃを用いて構成した照明装置１Ｆにしても、前記本発明を実施するための最良の第１の形態と同様な作用効果が得られる。
【００２５】
なお、前記本発明を実施する各形態では三角錐、四角錐、六角錐形状の多面体８、８Ａ、８Ｂを形成したマイクロプリズムシート６、６Ｂ、６Ｃを用いるものについて説明したが、本発明はこれに限らず、五角錐、八角錐等の多角錐形状、多角錐台形状あるいは面の面積が異なる多角錐や多角錐台形状の多面体であってもよい。
【産業上の利用可能性】
【００２６】
本発明は遊戯機械の装飾用照明、イルミネーション、自販機のスイッチの照明、電化製品や携帯電話機のパイロットランプ等の照明装置を製造する産業で利用される。
【図面の簡単な説明】
【００２７】
【図１】本発明を実施するための最良の第１の形態の正面図。
【図２】図１の２−２線に沿う断面図。
【図３】本発明を実施するための最良の第１の形態の概略回路図。
【図４】本発明を実施するための最良の第１の形態のマイクロプリズムシートの正面図。
【図５】図３の要部断面図。
【図６】本発明を実施するための最良の第１の形態のマイクロプリズムシートの光の透過状態を示す説明図。
【図７】本発明を実施するための最良の第１の形態の光源が点灯した状態の説明図。
【図８】本発明を実施するための第２の形態の正面図。
【図９】図８の９−９線に沿う断面図。
【図１０】本発明を実施するための第２の形態の距離移動装置の説明図。
【図１１】本発明を実施するための第３の形態の正面図。
【図１２】図１１の１２−１２線に沿う断面図。
【図１３】本発明を実施するための第３の形態の距離移動装置の説明図。
【図１４】本発明を実施するための第４の形態の正面図。
【図１５】図１４の１５−１５線に沿う断面図。
【図１６】本発明を実施するための第４の形態の距離移動装置の説明図。
【図１７】本発明を実施するための第５の形態の正面図。
【図１８】本発明を実施するための第５の形態の要部拡大正面図。
【図１９】図１８の１９−１９線に沿う断面図。
【図２０】本発明を実施するための第６の形態の正面図。
【図２１】図２０の２１−２１線に沿う断面図。
【図２２】本発明を実施するための第６の形態のマイクロプリズムシートの説明図。
【図２３】本発明を実施するための第７の形態の正面図。
【図２４】図２３の２４−２４線に沿う断面図。
【図２５】本発明を実施するための第７の形態のマイクロプリズムシートの説明図。
【符号の説明】
【００２８】
１、１Ａ、１Ｂ、１Ｃ、１Ｄ、１Ｅ、１Ｆ：照明装置、
２：開口部、                  ３：光源収納ケース、
４：光源、                    ５：制御回路、
６、６Ａ、６Ｂ、６Ｃ：マイクロプリズムシート、
７：シート本体、              ８、８Ａ、８Ｂ：多面体、
９：光源の像、                １０：距離移動装置、
１１：ガイドピン、            １２：光源支持板、
１３：正・逆回転モータ、      １４：駆動軸、
１５：ねじ軸、                １６：ナット、
１７：移動機構、              １８：フレーム、
１９：モータ、                ２０：回転装置、
２１：自販機、                ２２：ボタンスイッチ、
２３：光源収納ケース、        ２４：透孔。
【図１】
2007157622.tif 000003
【図２】
2007157622.tif 000004
【図３】
2007157622.tif 000005
【図４】
2007157622.tif 000006
【図５】
2007157622.tif 000007
【図６】
2007157622.tif 000008
【図７】
2007157622.tif 000009
【図８】
2007157622.tif 000010
【図９】
2007157622.tif 000011
【図１０】
2007157622.tif 000012
【図１１】
2007157622.tif 000013
【図１２】
2007157622.tif 000014
【図１３】
2007157622.tif 000015
【図１４】
2007157622.tif 000016
【図１５】
2007157622.tif 000017
【図１６】
2007157622.tif 000018
【図１７】
2007157622.tif 000019
【図１８】
2007157622.tif 000020
【図１９】
2007157622.tif 000021
【図２０】
2007157622.tif 000022
【図２１】
2007157622.tif 000023
【図２２】
2007157622.tif 000024
【図２３】
2007157622.tif 000025
【図２４】
2007157622.tif 000026
【図２５】
2007157622.tif 000027